(57)【要約】【課題】高い剛性を有し、建築物の耐震性を向上させることができるようにする。【解決手段】本発明の建築物の床構造１は、平行に配設された床梁２間に、上面が該床梁２の上面と面一になるように根太３が所定間隔で架設されるとともに、該床梁２及び根太３の上面に接した状態で、該床梁２及び根太３に床板部４が支持されており、該床板部４は、下から順に、構造合板６、プラスターボード７、遮音シート８、フローリング９が積層されてなっている。【選択図】      図１
2005030005.tif 000002
【特許請求の範囲】
【請求項１】
平行に配設された床梁間に、上面が該床梁の上面と面一になるように根太が所定間隔で架設されるとともに、該床梁及び根太の上面に接した状態で、該床梁及び根太に床板部が支持されており、該床板部は、下から順に、構造合板、プラスターボード、フローリングが積層されてなる建築物の床構造。
【請求項２】
前記床板部は、前記プラスターボードと、フローリングとの間に遮音シートが敷設されてなる請求項１記載の建築物の床構造。
【発明の詳細な説明】
【０００１】
【発明の属する技術分野】
本発明は、特に２階以上の床に適した建築物の床構造に関するものである。
【０００２】
【従来の技術】
従来の建築物の床構造として、非特許文献１記載の木造建築物の床構造５０を例示する。この床構造５０は、木造建築物の床構造として一般的なものであり、図２に示すように、平行に配設された床梁５１の上に、根太５２が所定間隔で架設されるとともに、該根太５２の上に床板部５３が支持されている。床板部５３の構造としては、構造合板の上にフローリングが積層されてなるものが多い。
【０００３】
【非特許文献１】
尾上孝一著、「図解  木造建築の技術」、第４０版、理工学社、２００１年１月２５日、ｐ．  ５
【０００４】
【発明が解決しようとする課題】
ところが、従来の床構造５０では、床板部５３が根太５２を介して床梁５１に支持されており、床板部５３と床梁５１が一体化しないので、横揺れに対する抵抗が不足しやすいという課題がある。また、床板部５３は、構造合板の上にフローリングが積層されているだけであると、縦揺れに対する抵抗が不足しやすいという課題がある。
【０００５】
本発明の目的は、上記課題を解決し、高い剛性を有し、建築物の耐震性を向上させることができる建築物の床構造を提供することにある。
【０００６】
【課題を解決するための手段】
上記目的を達成するために、本発明の建物の床構造は、平行に配設された床梁間に、上面が該床梁の上面と面一になるように根太が所定間隔で架設されるとともに、該床梁及び根太の上面に接した状態で、該床梁及び根太に床板部が支持されており、該床板部は、下から順に、構造合板、プラスターボード、フローリングが積層されてなっている。
【０００７】
この構成によれば、前記床板部が前記床梁及び前記根太の上面に接するようにすることで、該床板部と該床梁を一体化させるとともに、該床梁及び該根太と該床板部との接合箇所を多くすることができる。これにより、特に横揺れに対する抵抗を向上させることができる。また、前記構造合板と前記フローリングとの間に前記プラスターボードを積層しているので、前記床板部の剛性を向上させることができる。これにより、特に縦揺れに対する抵抗を向上させることができる。そして、この構成により床構造の剛性を向上させて、建築物のねじれ等の変形を防止し、もって、建築物の耐震性を向上させることができる。また、前記プラスターボードは、床の防音性を向上させるようにも作用する。
【０００８】
前記床板部は、前記プラスターボードと、フローリングとの間に遮音シートが敷設されてなっている。
【０００９】
この構成によれば、前記遮音シートにより、床の防音性をさらに向上させることができる。
【００１０】
【発明の実施の形態】
図１は、本発明を具体化した一実施形態として、軸組工法によって構築される木造建築物の床構造１を示している。本例の建築物は２階の住宅であり、本例ではその２階の床構造を例示する。
【００１１】
図１に示すように、本例の床構造１では、所定間隔（９１０〜１０００ｍｍとすることを例示する。本例では１０００ｍｍ）をおいて複数の床梁２が配設されている。床梁２間には、上面が該床梁２の上面と面一になるように根太３が所定間隔（３０３〜３３３ｍｍとすることを例示する。本例では３３３ｍｍ）をおいて架設されることにより、床梁２及び根太３が格子状に組み付けられている。根太３としては、幅３０〜４５ｍｍ、高さ３０〜１０５ｍｍの木材を使用することを例示する。本例では、根太３として幅４５ｍｍ、高さ１０５ｍｍの木材を使用しており、特に高さを大きめ（幅の約２倍）に設定することにより、縦揺れに対する梁性を向上させるようにしている。また、本例では、床梁２と根太３との接合方法として、両者の接合部に設けた凹部及び凸部を嵌合させる方法を採用しているが、この方法に限定されず、結合金具による結合方法、釘による結合方法等、他の公知の方法を適宜採用することができる。
【００１２】
床梁２及び根太３には、それらの上面に接した状態で床板部４が支持されている。床板部４は、下から順に、構造合板６、プラスターボード７、遮音シート８、フローリング９が積層されてなっている。本例では、構造合板６及びプラスターボード７は、それらの長辺方向が互いに直交するように敷設されている。これにより、床板部４の剛性を向上させるようにしている。構造合板６、プラスターボード７、遮音シート８及びフローリング９の固定方法については、ビス、釘等の公知の方法を適宜採用できる。構造合板６、プラスターボード７、フローリング９としては、厚さ９．５〜１２．５ｍｍのものを使用することを例示する。本例では、構造合板６、プラスターボード７、フローリング９として、厚さ１２．５ｍｍのものを使用している。また、遮音シート８としては、本例では厚さ１．２ｍｍのものを使用している。
【００１３】
以上のように構成された本発明の建築物の床構造１によれば、床板部４が床梁２及び根太３の上面に接するようにすることで、床板部４と床梁２を一体化させるとともに、床梁２及び根太３と床板部４との接合箇所を多くすることができる。これにより、特に横揺れに対する抵抗を向上させることができる。また、構造合板６とフローリング９との間にプラスターボード７を積層しているので、床板部４の剛性を向上させることができる。これにより、特に縦揺れに対する抵抗を向上させることができる。そして、この構成により床構造１の剛性を向上させて、建築物のねじれ等の変形を防止し、もって、建築物の耐震性を向上させることができる。また、プラスターボード７は、床の防音性を向上させるようにも作用する。
【００１４】
また、床板部４は、プラスターボード７と、フローリング９との間に遮音シート８が敷設されてなっているので、床の防音性をさらに向上させることができる。
【００１５】
なお、本発明は前記実施形態に限定されるものではなく、発明の趣旨から逸脱しない範囲で適宜変更して具体化することもできる。
【００１６】
【発明の効果】
以上詳述したように、本発明に係る建築物の床構造によれば、高い剛性を有し、建築物の耐震性を向上させることができるという優れた効果を奏する。
【図面の簡単な説明】
【図１】本発明を具体化した一実施形態に係る建築物の床構造を示す斜視図である。
【図２】従来の建築物の床構造を示す斜視図である。
【符号の説明】
１  床構造
２  床梁
３  根太
４  床板部
６  構造合板
７  プラスターボード
８  遮音シート
９  フローリング
【図１】
2005030005.tif 000003
【図２】
2005030005.tif 000004